(57)【要約】      （修正有）【課題】外観等の意匠をユーザーにより容易に変更することができ、廃棄処分するときの地球環境への負荷が必ずしも大きくない携帯情報端末の紙製携帯ケースを提供する。【解決手段】スマートフォン２の前面２ａの少なくともディスプレイ部９以外を被覆する剛性を有する紙製の前面板３と、スマートフォン２の背面２ｂを被覆する剛性を有する紙製の背面板４と、スマートフォン２の長手方向一端２ｃを含む側面２ｅ，２ｆを被覆する剛性を有する紙製の側面部材５ａ，５ｂ，５ｃと、前面板３と背面板４とを側面部材５ａ，５ｂ，５ｃを介して締結するオスねじ６およびこれにねじ結合するメスねじ７とを具備している。前面板３、背面板４および側面部材５ａ，５ｂ，５ｃの少なくともいずれかに、スマートフォン２のカメラ部、操作部、スピーカー孔部および外部機器に接続可能の外部端子部の少なくともいずれかは被覆せずに外部に露出させる露出部ｎに形成した。【選択図】図１
0003194001.tif 000002
【実用新案登録請求の範囲】
【請求項１】
携帯情報端末の前面の少なくともディスプレイ部以外を被覆する剛性を有する紙製の前面部と、
前記携帯情報端末の背面を被覆する剛性を有する紙製の背面部と、
携帯情報端末の長手方向一端を含む側面を被覆する剛性を有する紙製の側面部と、
前記前面部と背面部とを側面部を介して締結するオスねじおよびこれにねじ結合するメスねじとを具備し、
前記前面部、背面部および側面部の少なくともいずれかに、前記携帯情報端末のカメラ部、操作部、スピーカー孔部および外部機器に接続可能の外部端子部の少なくともいずれかを被覆せずに外部に露出させる露出部を形成したことを特徴とする携帯情報端末の紙製携帯ケース。
【請求項２】
前記側面部は、２色以上の色紙を積層貼着した積層体により形成され、その積層面を目視可能に外部に露出させていることを特徴とする請求項１記載の携帯情報端末の紙製携帯ケース。
【請求項３】
前記前面部は、前記携帯情報端末のディスプレイ部に表示される所定の画像の一部をなすように見える表示を予め印刷していることを特徴とする請求項１または２記載の携帯情報端末の紙製携帯ケース。
【考案の詳細な説明】
【技術分野】
【０００１】
本考案の実施形態は、ＰＤＡ（Ｐｅｒｓｏｎａｌ  Ｄｉｇｉｔａｌ  Ａｓｓｉｓｔａｎｔ）やこれに電話機能等を追加した多機能携帯電話器（スマートフォン）、携帯電話器等の携帯情報端末の紙製携帯ケースに関する。
【背景技術】
【０００２】
一般に、ＰＤＡやスマートフォン、携帯電話器等の携帯情報端末を室外で携帯する場合は、これら携帯情報端末を落としたときの衝撃による破損を防止するため等により、この携帯情報端末を携帯用のケースに収納して携帯することが多い。
【０００３】
このために、従来より、この種の携帯ケースが知られている（例えば、特許文献１，２参照）。
【先行技術文献】
【特許文献】
【０００４】
【特許文献１】特開２００５−２３６０８５号公報
【特許文献２】特開２００９−７６９４５号公報
【考案の概要】
【考案が解決しようとする課題】
【０００５】
しかしながら、このような従来の携帯ケースでは、携帯情報端末を収容する本体ケースを、シリコーン等の合成樹脂材料により箱状に形成し、外部からの衝撃に対して携帯情報端末を保護するために頑丈に構成している。
【０００６】
このために、仮に、ユーザーが携帯ケースの外観等の意匠に飽きた場合でも、その携帯ケースをユーザーにより解体してユーザー好みに変更することはできない。
【０００７】
また、本体ケースは合成樹脂製であるので、廃棄処分するときの地球環境への負荷が必ずしも小さく無い、という課題を有する。
【０００８】
本考案が解決しようとする課題は、外観等の意匠をユーザーにより容易に変更することができ、廃棄処分するときの地球環境への負荷が必ずしも大きくない携帯情報端末の紙製携帯ケースを提供することにある。
【課題を解決するための手段】
【０００９】
本実施形態の携帯情報端末の紙製携帯ケースは、携帯情報端末の前面の少なくともディスプレイ部以外を被覆する剛性を有する紙製の前面部と、携帯情報端末の背面を被覆する剛性を有する紙製の背面部と、携帯情報端末の長手方向一端を含む側面を被覆する剛性を有する紙製の側面部と、前面部と背面部とを側面部を介して締結するオスねじおよびこれにねじ結合するメスねじを具備し、前面部、背面部および側面部の少なくともいずれかに、携帯情報端末のカメラ部、操作部、スピーカー孔部および外部機器に接続可能の外部端子部の少なくともいずれかを被覆せずに外部に露出させる露出部を形成した。
【考案の効果】
【００１０】
実施形態によれば、携帯情報端末の前面、背面および側面を、剛性を有する紙製の前面部、背面部および側面部により被覆するので、携帯情報端末の落下時の衝撃等の外力から携帯情報端末を保護するとこができる。
【００１１】
また、前面部と背面部は側面部を介してオスねじとメスねじとにより締結されているので、これらオスねじとメスねじのねじ結合を単に解除することにより、携帯情報端末の紙製携帯ケースを、前面部、背面部および側面部に、簡単かつ迅速に分解することができる。これにより、色彩や模様等意匠を異にした前面部、背面部および側面部に付け変えることにより、ユーザーの好みに簡単に合わせることができる。
【００１２】
さらに、前面部、背面部および側面部が紙製であるので、これらを廃棄処分する場合にも、プラスチック等に比して地球環境への負荷を低減できるうえに、再生紙等に容易に再生できる。
【図面の簡単な説明】
【００１３】
【図１】本実施形態の分解斜視図。
【図２】（ａ）〜（ｄ）は図１で示す本実施形態の構成部品をそれぞれ示し、（ａ）はオスねじ、ワッシャおよびメスねじの一組の斜視図、（ｂ）は同，前面板の正面図、（ｃ）は同，背面板の正面図、（ｄ）は同，側面部材の正面図。
【図３】（ａ）〜（ｄ）は図１で示す本実施形態の組立工程を示す工程図であり、（ａ）は背面板の複数の角部にそれぞれ形成した各ねじ挿通孔内に、その背面からワッシャを介してメスねじの軸部をそれぞれ挿通する第１の工程を示す工程図、（ｂ）は（ａ）で示す背面板の所定位置上に、側面部材を載置し、これら側面部材の各挿通孔内に上記メスねじの軸部を挿通する第２の工程を示す工程図、（ｃ）は第２の工程で複数の側面部材と背面板とにより囲まれた空間に、スマートフォンを載置する第３の工程を示す工程図、（ｄ）はこのスマートフォンの前面上に前面板を載置し、この前面板の各挿通孔内と各メスねじのソケット状ねじ部内に、前面板の前面側からオスねじの軸部を挿入し、オスねじをメスねじにねじ込みねじ結合することにより携帯情報端末の紙製携帯ケースに組み立てる第４の工程を示す工程図。
【図４】他の実施形態の正面図。
【図５】さらに他の実施形態の正面図。
【考案を実施するための形態】
【００１４】
以下、実施形態の携帯情報端末の紙製携帯ケースを図面を参照して説明する。なお、複数の図面中、同一または相当部分には同一符号を付している。
【００１５】
図１は、実施形態に係る携帯情報端末の紙製携帯ケースの分解斜視図、図２（ａ）〜（ｄ）はこの携帯情報端末の紙製携帯ケースの構成部品をそれぞれ示す斜視図や正面図である。これら図１，図２（ａ）〜（ｄ）に示すように、携帯情報端末の紙製携帯ケース１は、携帯情報端末の一例である例えばｉＰｈｏｎｅ５、ｉＰｈｏｎｅ５ｓ（アップル社の登録商標）等のスマートフォン２の外面をそれぞれ被覆する紙製の前面部の一例である前面板３、紙製の背面部の一例である背面板４および紙製の側面部の一例である側面部材５を具備している。
【００１６】
スマートフォン２は、例えばＰＤＡに電話機能等を付加した多機能携帯電話器であり、インターネットに接続し得る機能等を具備している。
【００１７】
また、携帯情報端末の紙製携帯ケース１は、オスねじ６と、これにねじ結合されるメスねじ７と、これらオスねじ６とメスねじ７の一方の軸部に外嵌されるワッシャ８とを１組とする４組を具備している。
【００１８】
図３（ｃ），（ｄ）にも示すようにスマートフォン２は、図中縦長の長方形で平板状に形成され、前面２ａ、その背面２ｂ、長手方向一端である例えば上端面２ｃ、その長手方向反対側の下端面２ｄ、左側面２ｅおよび右側面２ｆを有する。
【００１９】
そして、スマートフォン２は、その前面２ａの中央部に、縦長矩形状のディスプレイ部（表示部）９を配設し、このディスプレイ部９の図中上端上方に前面カメラ部１０およびマイクロフォン兼用の前スピーカー孔１１を配設する一方、ディスプレイ部９の図中下端下方に、ホームボタン１２を操作部の一例として設けている。
【００２０】
また、図１に示すようにスマートフォン２は、その上端面２ｃに、他の操作部の一例である電源ボタン１３を配設し、左側面２ｅには、同，マナーキー１４と、音量増＋（プラス）と音量減−（マイナス）のボリュームボタン１５を配設している。
【００２１】
さらに、スマートフォン２は、その下端面２ｄに、図示省略のイヤフォンジャック、下スピーカー孔および電源プラグ差込口を配設している。これらイヤフォンジャックや電源プラグ差込口は、図示省略のイヤフォンや電源プラグの外部機器と接続可能の外部端子部の一例である。また、スマートフォン２の背面２ｂには、その上部にて図示省略の背面カメラ部を配設している。
【００２２】
そして、図１〜図３に示すように上記前面板３は、剛性を有する紙の一例である厚板紙により、スマートフォン２の前面２ａの外周縁部を被覆する矩形枠状に形成され、その中央部に、前面開口部３ａを形成している。この前面開口部３ａ内には、ディスプレイ部９、前スピーカー孔１１およびホームボタン１２が位置し、外部に露出させる露出部ｎに形成されている。
【００２３】
また、携帯情報端末の紙製携帯ケース１は、スマートフォン２の電源ボタン１３やマナーキー１４、音量ボタン１５等の操作部、図示省略のイヤフォンジャックや電源プラグ差込口等の外部端子、図示省略の背面カメラ部、下スピーカー孔等所要の機器部については、これらを被覆せずに外部に露出させる露出部ｎに形成している。これらスマートフォン２の所要の機器部の有無や設置箇所はスマートフォン２の機種等により相違するので、その相違に応じて露出部ｎの位置や形状、寸法は変えてもよい。
【００２４】
また、前面板３は、その矩形枠状本体の４つの角部３ｂ，３ｂ，…をスマートフォン２の各角部よりも若干水平方向外方へ一体に突出させ、これら各突出角部３ｂにメスねじ７の軸部が板厚方向に貫通する挿通孔３ｃをそれぞれ形成している。
【００２５】
背面板４は、剛性を有する厚板紙により、スマートフォン２の背面のほぼ全面を被覆する矩形平板状に形成され、その４つの角部には、前面板３の各挿通孔３ｃと板厚方向で連通する挿通孔４ａをそれぞれ形成している。
【００２６】
また、背面板４は、スマートフォン２の図示省略の背面カメラ部を外部に露出させるための矩形の上切欠き部４ｂと、スマートフォン２の図１中左側面のマナーキー１４とボリュームボタン１５とを外部に露出させる側面切欠き部４ｃと、下端面の図示省略のイヤフォンジャックと電源プラグ差込口を外部に露出させる下端切欠き部４ｄを露出部ｎとしてそれぞれ形成している。
【００２７】
さらに、背面板４は、スマートフォン２の背面に設けたスマートフォン２のメーカの商標を外部に露出させるための小窓４ｅを形成している。
【００２８】
そして、上端側面部材５ａ、左側面部材５ｂおよび右側面部材５ｃは、複数の色板紙を厚さ方向に積層して一体に固着した剛性を有する積層体により、それぞれ直状棒状に形成され、その美的に造形された積層面を目視可能に外部側面に露出させている。なお、ここで色紙とは、有彩色のみならず、白や黒等の無彩色を含む。また、白や黒の明度差は色違いに含まれる。
【００２９】
図２（ｄ）に示すように上端側面部材５ａは、その一端部、例えば図中左端部に、図２（ｂ）で示す前面板３の左上角部３ｂおよび背面板４の左上角部と、ほぼ同形の左上角部５ａ１を形成し、この左上角部５ａ１に、前面板３の左上角部の挿通孔３ｃおよび背面板４の左上角部の挿通孔４ａの両者にそれぞれ連通する挿通孔５ａ２を形成している。
【００３０】
左側面部材５ｂは、その一端部、例えば図２（ｄ）中、左下端部に、図２（ｂ）で示す前面板３の左下角部３ｂおよび同（ｃ）で示す背面板４の左下角部とほぼ同形の左下角部５ｂ１を形成し、この左下角部５ｂ１に、前面板３の左下角部３ｂの挿通孔３ｃおよび背面板４の左下角部の挿通孔４ａにそれぞれ連通する挿通孔５ｂ２を形成している。
【００３１】
右側面部材５ｃは、その長手方向両端部に、図２（ｂ）で示す前面板３の図中右側の上下両端の角部３ｂ，３ｂおよび背面板４の上下両端の角部４ａ，４ａとほぼ同形の上，下角部５ｃ１，５ｃ２をそれぞれ形成し、これら角部５ｃ１，５ｃ２に、前面板３の挿通孔３ｃ，３ｃおよび背面板４の挿通孔４ａ，４ａにそれぞれ連通する挿通孔５ｃ３，５ｃ４をそれぞれ形成している。
【００３２】
次に、この携帯情報端末の紙製携帯ケース１の組立方法を図３（ａ）〜（ｄ）に基づいて説明する。
【００３３】
まず、図３（ａ）に示すように、背面板４の各挿通孔４ａ内に、その背面側から、ワッシャ８を外嵌した各メスねじ７の軸部をそれぞれ挿通する。
【００３４】
次に、図３（ｂ）に示すように、この背面板４の上端縁部上と左右両側縁上に、各側面部材５ａ，５ｂ，５ｃを載置し、これらの各挿通孔５ａ２，５ｂ２，５ｃ２，５ｃ３内に、上記メスねじ７の軸部をそれぞれ挿通する。
【００３５】
この後、図３（ｃ）に示すように背面板４の中央部上にスマートフォン２を、その前面２ａを上に向けて同心状に載置する。
【００３６】
次に、図３（ｄ）に示すように、スマートフォン２上に前面板３を載置し、前面板３の各挿通孔３ａ内に、上記メスねじ７の軸部をそれぞれ挿通する。
【００３７】
この後、これらの各メスねじ７の軸部のねじ孔内に、各オスねじ６の軸部をねじ込み、ねじ結合させる。
【００３８】
これにより、スマートフォン２の背面と前面とを、背面板４と前面板３とにより、固く結合して被覆し、スマートフォン２の上端面２ｃと左右両側面２ｅ，２ｆを各側面部材５ａ，５ｂ，５ｃにより固く締結して被覆する。
【００３９】
すなわち、厚板紙等剛性を有する携帯情報端末の紙製携帯ケース１により、スマートフォン２の前面２ａの外周縁部、背面２ｂ、上端面２ｃおよび左右側面部２ｅ，２ｆを被覆するので、これらスマートフォン２の被覆部により外部からの衝撃等から保護することができる。
【００４０】
しかも、この携帯情報端末の紙製携帯ケース１は、その金属製のオスねじ６、メスねじ７およびワッシャ８を除くほぼ全体が紙製であるので、軽量かつ安価であり、厚板紙等のプレス裁断等により量産も可能である。
【００４１】
また、携帯情報端末の紙製携帯ケース１のほぼ全体が紙製であるので、カラフルな印刷が容易であり、美観の向上を容易に図ることができる。さらに、側面部材５は、複数の色紙を積層することにより、色違いの美しい柾目を形成した積層体により形成されており、その美しい柾目を有する積層面を外部に露出させているので、さらなる美観の向上を図ることができる。
【００４２】
さらに、携帯情報端末の紙製携帯ケース１は、そのほぼ全体が紙製であるので、廃棄処分する場合には古紙等への再生、再利用が容易であり、地球環境への負荷が少ない。
【００４３】
また、携帯情報端末の紙製携帯ケース１は、スマートフォン２のディスプレイ部９や前面カメラ部１０、前スピーカー孔１１、ホームボタン１２、電源ボタン１３、マナーキー１４、音量ボタン１５、図示省略のイヤフォンジャック、下スピーカー孔、電源プラグ差込口等の外部端子部等所要の機器部については、被覆せずに外部に露出させる露出部ｎに形成している。
【００４４】
このために、スマートフォン２のディスプレイ部９等の所要の機器部をユーザーにより自由に使用することができる。
【００４５】
そして、携帯情報端末の紙製携帯ケース１は、例えばドライバーや硬貨等の扁平体を、各オスねじ６の頭部の溝内に挿入して所要方向に回転させ、各メスねじ７とのねじ結合を解除させることにより、簡単かつ迅速に分解させることができる。
【００４６】
このために、ユーザーは、この携帯情報端末の紙製携帯ケース１を分解して色や模様等意匠の異なるパーツ、すなわち、前面板３、背面板４、側面部材５の組合せをユーザーの趣味や美意識により適宜変える、いわゆる着せ変えを簡単に行うことができる。
【００４７】
図４は、本考案の第２の実施形態に係る携帯情報端末の紙製携帯ケース１Ａの正面図である。この携帯情報端末の紙製携帯ケース１Ａは、スマートフォン２のディスプレイ部９に表示された、例えば待ち受け画面の所要の表示に合わせて前面板３の意匠を予め印刷する例を示している。すなわち、携帯情報端末の紙製携帯ケース１Ａは、ディスプレイ部９の表示と前面板３の意匠とを合わせて所要の意匠を表示するように構成してもよい。
【００４８】
図５は、本考案の第３の実施形態に係る携帯情報端末の紙製携帯ケース１Ｂの正面図である。この携帯情報端末の紙製携帯ケース１Ｂは、スマートフォン２に代えて携帯電話器２０を携帯情報端末として用いる場合の例を示している。すなわち、上記スマートフォン２は、例えば入力用のＱＷＥＲＴＹキーやテンキー等の操作キー等をディスプレイ部９に表示してタッチパネルで入力するように構成されているが、この携帯電話器２０は、その入力用の複数の操作キーや電源ボタン等をハードウエアのボタンとして配設した操作部２１を設けている。
【００４９】
このために、この携帯情報端末の紙製携帯ケース１Ｂでは、この操作部２１を外部に露出させる露出部ｎに設けている。また、携帯情報端末の紙製携帯ケース１Ｂは、図示省略のマナーキーやボリュームボタン等の所要の機器部にも露出部ｎを形成している。
【００５０】
なお、上記実施形態の携帯情報端末の紙製携帯ケース１，１Ａ，１Ｂでは、携帯情報端末としてスマートフォン２、携帯電話器２０を用いた場合について説明したが、本考案はこれに限定されるものではなく、ＰＤＡやＰＨＳ携帯電話器等を用いてもよい。
【００５１】
以上、本考案の幾つかの実施形態を説明したが、これらの実施形態は、例として提示したものであり、考案の範囲を限定することは意図していない。これら新規な実施形態は、その他の様々な形態で実施されることが可能であり、考案の要旨を逸脱しない範囲で、種々の省略、置換え、変更を行うことができる。これら実施形態やその変形は、考案の範囲や要旨に含まれるとともに、実用新案登録請求の範囲に記載された考案とその均等の範囲に含まれる。
【符号の説明】
【００５２】
１，１Ａ，１Ｂ…携帯情報端末の紙製携帯ケース、２…スマートフォン、２ｃ…上端面（一端）、３…前面板、４…背面板、５…側面部材、５ａ…上端側面部材、５ｂ…左側面部材、５ｃ…右側面部材、６…オスねじ、７…メスねじ、８…ワッシャ、９…ディスプレイ部、１０…前面カメラ部、１２…ホームボタン（操作部）、１３…電源ボタン（操作部）、１４…マナーキー（操作部）、１５…ボリュームボタン（操作部）、２０…携帯電話器、ｎ…露出部。
【図１】
0003194001.tif 000003
【図２】
0003194001.tif 000004
【図３】
0003194001.tif 000005
【図４】
0003194001.tif 000006
【図５】
0003194001.tif 000007